(57)【要約】【課題】燃料循環路を循環する液体中の液体燃料の濃度を検出する濃度センサを省略できる、燃料濃度制御装置を提供する。【解決手段】燃料入口１２に流入する液体の温度Ｔｉｎおよび燃料出口１３から排出される液体の温度Ｔｏｕｔが検出され、燃料電池１１の発電時における発熱量に応じた値として、それらの温度差ΔＴ＝Ｔｏｕｔ−Ｔｉｎが算出される。そして、温度差ΔＴが所定の上限値ＴＨよりも大きいときには、燃料循環路を循環する液体中の液体燃料の濃度が適正範囲よりも高いと判断されて、第１燃料タンク２１から燃料循環路（燃料サブタンク２３）への液体燃料の補給が抑制される。一方、温度差ΔＴが所定の下限値ＴＬよりも小さいときには、燃料循環路を循環する液体中の液体燃料の濃度が適正範囲よりも低いと判断されて、第１燃料タンク２１から燃料循環路への液体燃料の補給が促進される。【選択図】図１
2014049341.tif 000002
【特許請求の範囲】
【請求項１】
燃料電池と、前記燃料電池の燃料入口および燃料出口にそれぞれ一端および他端が接続される燃料循環路と、前記燃料循環路に補給される液体燃料を貯留する燃料タンクとを含む燃料電池システムに適用され、前記燃料循環路を流通する液体中の液体燃料の濃度を制御するための燃料濃度制御装置であって、
前記燃料循環路から前記燃料入口に流入する液体の温度を検出する入口温度検出手段と、
前記燃料出口から前記燃料循環路に流出する液体の温度を検出する出口温度検出手段と、
前記入口温度検出手段によって検出される温度および前記出口温度検出手段によって検出される温度に基づいて、前記燃料電池の発電時における発熱量に応じた値を算出する発熱量対応値算出手段と、
前記発熱量対応値算出手段によって算出される値が所定の上限値よりも大きいときには、前記燃料タンクから前記燃料循環路への液体燃料の補給を抑制し、前記発熱量対応値算出手段によって算出される値が所定の下限値よりも小さいときには、前記燃料タンクから前記燃料循環路への液体燃料の補給を促進する補給制御手段とを含む、燃料濃度制御装置。
【発明の詳細な説明】
【技術分野】
【０００１】
本発明は、燃料電池を含む燃料電池システムに適用される燃料濃度制御装置に関する。
【背景技術】
【０００２】
燃料電池システムとして、ヒドラジンなどの液体燃料を燃料電池に供給するものが知られている。
【０００３】
燃料電池は、たとえば、固体高分子膜の両側にアノード（燃料極）およびカソード（酸素極）を貼り合わせて一体化した膜／電極接合体を備えている。アノードには、燃料循環路が接続されている。すなわち、燃料循環路の一端がアノードの燃料供給口に接続され、その他端がアノードの燃料排出口に接続されている。アノードには、燃料循環路から液体燃料が供給され、アノードを通過した液体燃料は、燃料循環路に排出される。一方、カソードには、空気が供給される。
【０００４】
アノードでは、窒素ガス（Ｎ２）、水（Ｈ２Ｏ）および電子（ｅ−）が生成される。電子は、外部回路（図示せず）を介して、カソードに移動する。窒素ガスおよび水は、未反応の液体燃料とともに、燃料循環路に排出される。一方、カソードでは、アニオン（ＯＨ−）が生成される。アニオンは、固体高分子膜を透過して、アノードに移動する。その結果、アノードとカソードとの間に、発電反応（電気化学反応）による起電力が発生する。
【０００５】
発電反応に伴い、液体燃料が消費されるとともに、アノードで生成された水が燃料循環路に排出されるので、燃料循環路を循環する液体中の液体燃料の濃度が低下する。燃料循環路を循環する液体中の液体燃料の濃度が低下すると、燃料タンクに貯留されている液体燃料が燃料循環路に補給されて、その濃度が発電反応に適した濃度に調整される。
【先行技術文献】
【特許文献】
【０００６】
【特許文献１】特開２０１１−２１６３４１号公報
【発明の概要】
【発明が解決しようとする課題】
【０００７】
液体燃料の濃度の調整のために、燃料電池システムには、その濃度を検出する濃度センサが設けられている。ところが、濃度センサは、そのサイズが大きく、燃料電池システムの小型化を阻む要因の１つとなっている。また、濃度センサは、検出精度が高くないにもかかわらず、比較的高価である。そのため、燃料電池システムから濃度センサを省略することが望まれている。
【０００８】
本発明の目的は、燃料循環路を循環する液体中の液体燃料の濃度を検出する濃度センサを省略できる、燃料濃度制御装置を提供することである。
【課題を解決するための手段】
【０００９】
前記の目的を達成するため、本発明に係る燃料濃度制御装置は、燃料電池と、前記燃料電池の燃料入口および燃料出口にそれぞれ一端および他端が接続される燃料循環路と、前記燃料循環路に補給される液体燃料を貯留する燃料タンクとを含む燃料電池システムに適用され、前記燃料循環路を流通する液体中の液体燃料の濃度を制御するための燃料濃度制御装置であって、前記燃料循環路から前記燃料入口に流入する液体の温度を検出する入口温度検出手段と、前記燃料出口から前記燃料循環路に流出する液体の温度を検出する出口温度検出手段と、前記入口温度検出手段によって検出される温度および前記出口温度検出手段によって検出される温度に基づいて、前記燃料電池の発電時における発熱量に応じた値を算出する発熱量対応値算出手段と、前記発熱量対応値算出手段によって算出される値が所定の上限値よりも大きいときには、前記燃料タンクから前記燃料循環路への液体燃料の補給を抑制し、前記発熱量対応値算出手段によって算出される値が所定の下限値よりも小さいときには、前記燃料タンクから前記燃料循環路への液体燃料の補給を促進する補給制御手段とを含む。
【００１０】
この構成によれば、燃料循環路から燃料電池の燃料入口に液体燃料を含む液体が流入し、その液体中の液体燃料の一部が燃料電池での発電反応に使用される。そして、未反応の液体燃料を含む液体は、燃料電池の燃料出口から燃料循環路に流出する。
【００１１】
燃料電池の発電時には、燃料電池が発熱する。燃料電池に供給される液体中の液体燃料の濃度が高いほど、その燃料電池の発電時における発熱量が大きい。
【００１２】
燃料入口に流入する液体の温度および燃料出口から流出する液体の温度が検出され、その検出された温度に基づいて、燃料電池の発電時における発熱量に応じた値が算出される。そして、その算出された値が所定の上限値よりも大きいときには、燃料循環路を循環する液体中の液体燃料の濃度が適正範囲よりも高いと判断されて、燃料タンクから燃料循環路への液体燃料の補給が抑制される。一方、その算出された値が所定の下限値よりも小さいときには、燃料循環路を循環する液体中の液体燃料の濃度が適正範囲よりも低いと判断されて、燃料タンクから燃料循環路への液体燃料の補給が促進される。これにより、燃料循環路を循環する液体中の液体燃料の濃度を検出する濃度センサを用いずに、燃料循環路を循環する液体中の液体燃料の濃度を適正範囲に調整することができる。
【００１３】
よって、燃料循環路を循環する液体中の液体燃料の濃度を検出する濃度センサを省略することができる。
【発明の効果】
【００１４】
本発明によれば、燃料循環路を循環する液体中の液体燃料の濃度を検出する濃度センサを省略することができる。そのため、燃料電池システムの小型化を図ることができる。また、燃料電池システムのコストの低減を図ることができる。
【図面の簡単な説明】
【００１５】
【図１】図１は、本発明の一実施形態に係る燃料電池システムの構成図である。
【図２】図２は、燃料濃度制御の内容を示すフローチャートである。
【図３】図３は、他の燃料濃度制御の内容を示すフローチャートである。
【発明を実施するための形態】
【００１６】
以下では、本発明の実施の形態について、添付図面を参照しつつ詳細に説明する。
［配管構成］
【００１７】
図１は、本発明の一実施形態に係る燃料電池システムの構成図である。
【００１８】
燃料電池システム１は、液体燃料を用いる燃料電池システム（ＦＣシステム）であり、たとえば、自動車に駆動源として搭載される。
【００１９】
＜燃料電池＞
【００２０】
燃料電池システム１は、燃料電池１１を備えている。
【００２１】
燃料電池１１は、所定数（たとえば、１００〜２００）のセルが一方向に積層された、いわゆるセルスタックを有している。各セルは、膜／電極接合体（ＭＥＡ：Membrane Electrode Assembly）、膜／電極接合体の両側に配置されたセパレータ、および膜／電極接合体と各セパレータとの間に介在されたガス拡散層（ＧＤＬ：Gas Diffusion Layer）を備えている。
【００２２】
膜／電極接合体は、固体高分子膜の両側にアノード（燃料極）およびカソード（酸素極）を貼り合わせて一体化したものである。固体高分子膜は、たとえば、アニオン（ＯＨ−）を透過させる性質を有する。
【００２３】
セパレータの両面には、たとえば、葛折り状に屈曲した凹溝（図示せず）が形成されている。膜／電極接合体のアノードに対向する凹溝は、燃料流路として形成されている。燃料流路の一端および他端は、それぞれ燃料入口１２および燃料出口１３に接続されている。膜／電極接合体のカソードに対向する凹溝は、エア流路として形成されている。エア流路の一端および他端は、それぞれエア入口１４およびエア出口１５に接続されている。また、各セル間では、一方のセルのセパレータに形成された凹溝と他方のセルのセパレータに形成された凹溝とが重なり合い、それらの凹溝が冷却水流路を形成している。冷却水流路の一端および他端は、それぞれ冷却水入口１６および冷却水出口１７に接続されている。
【００２４】
＜燃料系＞
【００２５】
燃料電池システム１は、第１燃料タンク２１、第２燃料タンク２２、燃料サブタンク２３および気液分離器２４を備えている。
【００２６】
第１燃料タンク２１には、液体燃料として、たとえば、常温の水加ヒドラジン（Ｎ２Ｈ４・Ｈ２Ｏ）が貯留されている。第１燃料タンク２１には、第１燃料補給管３１の一端が接続されている。第１燃料補給管３１の他端は、燃料サブタンク２３に接続されている。第１燃料補給管３１の途中部には、第１燃料供給ポンプ３２およびチェックバルブ３３が第１燃料タンク２１側からこの順に介装されている。
【００２７】
第２燃料タンク２２には、電解液として、たとえば、常温の水酸化カリウム水溶液（ＫＯＨ）が貯留されている。第２燃料タンク２２には、第２燃料補給管３４の一端が接続されている。第２燃料補給管３４の他端は、燃料サブタンク２３に接続されている。第２燃料補給管３４の途中部には、第２燃料供給ポンプ３５およびチェックバルブ３６が第２燃料タンク２２側からこの順に介装されている。
【００２８】
燃料サブタンク２３内は、燃料サブタンク２３内の底面に立設された仕切壁４１により、Ａ室４２およびＢ室４３に分けられている。仕切壁４１の上端と燃料サブタンク２３内の天面との間には、間隔が生じており、Ａ室４２とＢ室４３とは、それらの上部で互いに連通している。Ａ室４２およびＢ室４３には、電解液に混合された液体燃料、たとえば、水酸化カリウム水溶液に混合された水加ヒドラジンが貯留される。
【００２９】
燃料サブタンク２３には、Ａ室４２から液体燃料を送出するための第１送出管５１の一端と、Ｂ室４３から液体燃料を送出するための第２送出管５２の一端とが接続されている。第１送出管５１および第２送出管５２の各他端は、サブタンク三方弁５３の２つの入口ポートに接続されている。サブタンク三方弁５３の出口ポートには、燃料供給管５４の一端が接続されている。燃料供給管５４の他端は、燃料電池１１の燃料入口１２に接続されている。燃料供給管５４の途中部には、燃料循環ポンプ５５およびＦＣ入口燃料遮断弁５６がサブタンク三方弁５３側からこの順に介装されている。
【００３０】
燃料電池１１の燃料出口１３には、燃料排出管６１の一端が接続されている。燃料排出管６１の他端は、気液分離器２４に接続されている。燃料排出管６１の途中部には、ＦＣ出口燃料遮断弁６２が介装されている。
【００３１】
気液分離器２４の底部には、燃料帰還管７１の一端が接続されている。燃料帰還管７１の他端は、燃料サブタンク２３のＡ室４２に接続されている。燃料帰還管７１の途中部には、ストレーナ７２が介装されている。また、気液分離器２４の上部には、パージ管７３の一端が接続されている。パージ管７３の途中部には、パージ電磁弁７４が介装されている。
【００３２】
＜空気系＞
【００３３】
燃料電池システム１は、エアコンプレッサ８１および気液分離器８２を備えている。
【００３４】
エアコンプレッサ８１の吸込口には、吸気管８３の一端が接続されている。吸気管８３の他端は、エアクリーナ８４に接続されている。エアコンプレッサ８１の吐出口には、エア供給管８５の一端が接続されている。エア供給管８５の他端は、燃料電池１１のエア入口１４に接続されている。エア供給管８５の途中部には、インタクーラ８６およびＦＣ入口エア遮断弁８７がエアコンプレッサ８１側からこの順に介装されている。
【００３５】
燃料電池１１のエア出口１５には、エア排出管９１の一端が接続されている。エア排出管９１の他端は、気液分離器８２に接続されている。
【００３６】
気液分離器８２の底部には、回収管１０１の一端が接続されている。回収管１０１の他端は、気液分離器２４に接続されている。回収管１０１の途中部には、環流電磁弁１０２およびフィルタ１０３が気液分離器８２側からこの順に介装されている。気液分離器８２の上部には、パージ管１０４の一端が接続されている。パージ管１０４の途中部には、エア背圧調整弁１０５が介装されている。
【００３７】
＜冷却系＞
【００３８】
燃料電池システム１は、燃料電池１１の冷却のために、冷却水供給管１１１、冷却水排出管１１２およびラジエータ１１３を備えている。
【００３９】
冷却水供給管１１１の一端は、ラジエータ１１３に接続されている。冷却水供給管１１１の他端は、燃料電池１１の冷却水入口１６に接続されている。冷却水供給管１１１の途中部には、三方流量弁１１４およびウォータポンプ１１５がラジエータ１１３側からこの順に介装されている。
【００４０】
冷却水排出管１１２の一端は、燃料電池１１の冷却水出口１７に接続されている。冷却水排出管１１２の他端は、ラジエータ１１３に接続されている。冷却水排出管１１２の途中部には、分岐管１１６が分岐して接続されている。分岐管１１６の先端は、三方流量弁１１４に接続されている。
【００４１】
［電気的構成］
【００４２】
＜センサ＞
【００４３】
第１燃料タンク２１には、第１液量センサ１４１が設けられている。第１液量センサ１４１は、たとえば、ボールフロート式のレベルスイッチからなる。第１燃料タンク２１内の水加ヒドラジンの液面が所定のエンプティ位置以下に低下すると、第１液量センサ１４１がオフになる。
【００４４】
第２燃料タンク２２には、第２液量センサ１５１が設けられている。第２液量センサ１５１は、たとえば、フロートガイドパイプ式のレベルスイッチからなる。第２燃料タンク２２内の水酸化カリウム水溶液の液面が所定のエンプティ位置以下に低下すると、第２液量センサ１５１がオフになる。
【００４５】
燃料サブタンク２３には、Ａ室液量センサ１６１およびＢ室液量ゲージ１６２が設けられている。Ａ室液量センサ１６１は、たとえば、フロートガイドパイプ式のレベルスイッチからなる。Ａ室液量センサ１６１は、燃料サブタンク２３のＡ室４２内の液体の液面が所定のエンプティ位置よりも高いときにオンになる。Ｂ室液量ゲージ１６２は、３個のフロートガイドパイプ式のレベルスイッチ１６３，１６４，１６５を組み合わせて構成されている。レベルスイッチ１６３〜１６５は、互いに高さが異なる位置に配置されている。最上位置のレベルスイッチ１６３は、燃料サブタンク２３のＢ室４３内の液体の液面が所定の第１上限位置よりも高いときにオンになる。最下位置のレベルスイッチ１６５は、燃料サブタンク２３のＢ室４３内の液体の液面が所定の下限位置よりも高いときにオンになる。中位置のレベルスイッチ１６４は、Ｂ室４３内の液体の液面が第１上限位置よりも低く、下限位置よりも高い第２上限位置よりも高いときにオンになる。
【００４６】
また、燃料サブタンク２３には、燃料サブタンク２３内の液体の温度を検出する燃料温度センサ１６６が設けられている。
【００４７】
気液分離器２４には、気液分離器２４内の圧力を検出する気液分離器圧力センサ１７１が設けられている。
【００４８】
燃料供給管５４には、燃料循環ポンプ５５とＦＣ入口燃料遮断弁５６との間に、燃料供給管５４内の圧力を検出するＦＣ入口燃料圧力センサ１９１が設けられている。また、燃料供給管５４には、ＦＣ入口燃料遮断弁５６と燃料電池１１の燃料入口１２との間に、燃料供給管５４から燃料入口１２に流入する液体の温度を検出するＦＣ入口燃料温度センサ１９２とが設けられている。
【００４９】
燃料排出管６１には、燃料電池１１の燃料出口１３とＦＣ出口燃料遮断弁６２との間に、燃料排出管６１内の圧力を検出するＦＣ出口燃料圧力センサ２０１と、燃料出口１３から燃料排出管６１に流出した液体の温度を検出するＦＣ出口燃料温度センサ２０２とが設けられている。
【００５０】
気液分離器８２には、気液分離器液量センサ２１１が設けられている。気液分離器液量センサ２１１は、たとえば、フロートガイドパイプ式のレベルスイッチからなる。気液分離器８２内の液体の液面が所定の上限位置よりも上昇すると、気液分離器液量センサ２１１がオンになる。
【００５１】
また、気液分離器８２には、気液分離器８２内の圧力を検出するＦＣ出口エア圧力センサ２１２と、気液分離器８２内の液体の温度を検出する気液分離器温度センサ２１３とが設けられている。
【００５２】
吸気管８３には、吸気管８３を流通するエアの温度を検出する第１エア温度センサ２２１と、吸気管８３を流通するエアの流量を検出するエア流量計２２２とが設けられている。
【００５３】
エア供給管８５には、エアコンプレッサ８１とインタクーラ８６との間に、エア供給管８５を流通するエアの温度を検出する第２エア温度センサ２３１が設けられている。
【００５４】
冷却水供給管１１１には、冷却水供給管１１１を流通する冷却水の温度を検出するＦＣ入口水温センサ２４１が設けられている。
【００５５】
冷却水排出管１１２には、冷却水排出管１１２を流通する冷却水の温度を検出するＦＣ出口水温センサ２５１が設けられている。
【００５６】
＜制御系＞
【００５７】
燃料電池システム１は、ＣＰＵおよびメモリを含む構成のＦＣ−ＥＣＵ（電子制御ユニット）３０１を備えている。
【００５８】
ＦＣ−ＥＣＵ３０１には、各種センサが電気的に接続されている。すなわち、ＦＣ−ＥＣＵ３０１には、第１液量センサ１４１、第２液量センサ１５１、Ａ室液量センサ１６１、Ｂ室液量ゲージ１６２（レベルスイッチ１６３〜１６５）、燃料温度センサ１６６、気液分離器圧力センサ１７１、ＦＣ出口燃料圧力センサ２０１、ＦＣ出口燃料温度センサ２０２、気液分離器液量センサ２１１、ＦＣ出口エア圧力センサ２１２、気液分離器温度センサ２１３、第１エア温度センサ２２１、エア流量計２２２、第２エア温度センサ２３１、ＦＣ入口水温センサ２４１およびＦＣ出口水温センサ２５１が接続されている。
【００５９】
ＦＣ−ＥＣＵ３０１は、メモリに格納されたプログラムに従い、各種センサから入力される信号に基づいて、第１燃料供給ポンプ３２、第２燃料供給ポンプ３５、燃料循環ポンプ５５、エアコンプレッサ８１、ラジエータ１１３およびウォータポンプ１１５の駆動を制御し、ＦＣ入口燃料遮断弁５６、ＦＣ出口燃料遮断弁６２、パージ電磁弁７４および環流電磁弁１０２の開閉を制御し、サブタンク三方弁５３の各入口ポートの開閉を制御し、エア背圧調整弁１０５の開度および三方流量弁１１４の各出口ポートの開度を制御する。
【００６０】
［動作］
【００６１】
＜燃料の流通＞
【００６２】
燃料電池１１による発電のために、サブタンク三方弁５３の２つの入口ポートの一方が選択的に開かれる。また、ＦＣ入口燃料遮断弁５６およびＦＣ出口燃料遮断弁６２が開かれる。そして、燃料循環ポンプ５５が駆動される。これにより、燃料サブタンク２３に貯留されている液体が第１送出管５１または第２送出管５２を通して燃料供給管５４に吸い出され、その液体が燃料供給管５４を燃料電池１１の燃料入口１２に向けて流通する。燃料供給管５４を流通する液体は、燃料入口１２を通して、燃料電池１１に供給される。
【００６３】
燃料電池１１に供給される液体は、燃料流路を流通し、燃料出口１３を通して、燃料排出管６１に流出する。
【００６４】
燃料排出管６１に流出した液体は、燃料排出管６１を流通して、気液分離器２４に流入する。気液分離器２４では、燃料排出管６１から流入する液体からその液体に含まれる気体（たとえば、発電時に生成されるＮ２ガス）が分離される。
【００６５】
脱気された液体は、気液分離器２４内の下部（底部）に集まり、気液分離器２４から燃料帰還管７１に流出する。燃料帰還管７１に流出した液体は、燃料帰還管７１を流通し、その途中でストレーナ７２を通過する。液体がストレーナ７２を通過することにより、液体から異物（固形物）が除去される。その後、燃料帰還管７１を流通する液体は、燃料帰還管７１から燃料サブタンク２３のＡ室４２に戻る。このようにして、液体は、燃料サブタンク２３、第１送出管５１、第２送出管５２、燃料供給管５４、燃料電池１１の燃料流路、燃料排出管６１、気液分離器２４および燃料帰還管７１を含む燃料循環路を循環する。
【００６６】
通常、パージ電磁弁７４は、開かれている。気液分離器２４内で液体から分離された気体は、気液分離器２４からパージ管７３に流出し、パージ管７３を排気処理器１２１に向けて流通する。そして、パージ管７３を流通する気体は、排気処理器１２１を経由して、大気に放出される。
【００６７】
＜エアの流通＞
【００６８】
また、燃料電池１１による発電のために、ＦＣ入口エア遮断弁８７およびエア背圧調整弁１０５が開かれる。そして、エアコンプレッサ８１が駆動される。エアコンプレッサ８１が駆動されると、エア（大気）がエアクリーナ８４を通して吸気管８３に取り込まれる。吸気管８３に取り込まれたエアは、エアコンプレッサ８１で圧縮されて、エアコンプレッサ８１からエア供給管８５に送り出される。エアコンプレッサ８１での圧縮に伴って温度が上昇したエアは、エア供給管８５を流通する途中で、インタクーラ８６によって冷却される。そして、冷却後のエアは、燃料電池１１のエア入口１４を通して、燃料電池１１に供給される。
【００６９】
燃料電池１１に供給されるエアは、エア流路を流通し、エア出口１５を通して、エア排出管９１に流出する。
【００７０】
燃料電池システム１では、水および液体燃料が膜／電極接合体のアノードから固体高分子膜を透過してカソードに移動する、いわゆるクロスリークが発生する。そのため、エア排出管９１に流出するエアには、そのクロスリークした液体燃料および水の蒸気が含まれる。
【００７１】
エア排出管９１に流出したエアは、エア排出管９１を流通して、気液分離器８２に流入する。気液分離器８２では、エア排出管９１から流入するエアとそのエアに含まれる液体燃料などの液体とが分離される。
【００７２】
液体が除去されたエアは、気液分離器８２からパージ管１０４に流出し、パージ管１０４を排気処理器１２１に向けて流通する。そして、パージ管１０４を流通するエアは、排気処理器１２１を経由して、大気に放出される。
【００７３】
一方、エアから分離した液体は、気液分離器８２内の下部（底部）に集まる。環流電磁弁１０２が閉じられている間、その液体は、気液分離器８２内の下部に溜められる。気液分離器８２内に溜められた液体は、エア背圧調整弁１０５の開度が小さくされて、気液分離器８２内の圧力が通常よりも高められた状態で、環流電磁弁１０２が開かれることにより、回収管１０１を通して、気液分離器２４に送られる（回収される）。液体が回収管１０１を流通する途中でフィルタ１０３を通過することにより、液体から異物が除去される。気液分離器２４に流入した液体は、気液分離器２４内の下部（底部）に集まり、気液分離器２４から燃料帰還管７１に流出し、燃料帰還管７１を流通して、燃料帰還管７１から燃料サブタンク２３のＡ室４２に戻る。
【００７４】
＜発電反応＞
【００７５】
燃料電池１１の燃料流路を液体燃料を含む液体が流通し、エア流路をエアが流通すると、燃料電池１１において、発電反応（電気化学反応）が生じ、その電気化学反応による起電力が発生する。
【００７６】
具体的には、アノードにおいて、反応式（１）で示される反応が生じ、窒素ガス（Ｎ２）、水（Ｈ２Ｏ）および電子（ｅ−）が生成される。電子は、外部回路（図示せず）を介して、カソードに移動する。窒素ガスおよび水は、未反応の液体燃料とともに、燃料流路から燃料出口１３を通して燃料排出管６１に流出する。一方、カソードでは、反応式（２）で示される反応が生じ、アニオン（ＯＨ−）が生成される。アニオンは、固体高分子膜を透過して、アノードに移動する。
【００７７】
ＮＨ２ＮＨ２＋４ＯＨ−→Ｎ２＋４Ｈ２Ｏ＋４ｅ−    ・・・（１）
Ｏ２＋２Ｈ２Ｏ＋４ｅ−→４ＯＨ−    ・・・（２）
【００７８】
この結果、アノードとカソードとの間に、発電反応（電気化学反応）による起電力が発生する。
【００７９】
＜液体燃料の補給＞
【００８０】
燃料電池システム１の稼働中に、燃料サブタンク２３に液体燃料および電解液を補給するために、第１燃料供給ポンプ３２および／または第２燃料供給ポンプ３５が駆動される。
【００８１】
第１燃料供給ポンプ３２が駆動されると、第１燃料タンク２１から第１燃料補給管３１に液体燃料（水加ヒドラジン）が汲み出される。そして、第１燃料補給管３１内のチェックバルブ３３よりも上流側の部分の圧力が所定圧以上になると、チェックバルブ３３が自動的に開き、液体燃料が第１燃料補給管３１を通して燃料サブタンク２３に供給される。
【００８２】
第２燃料供給ポンプ３５が駆動されると、第２燃料タンク２２から第２燃料補給管３４に電解液（水酸化カリウム水溶液）が汲み出される。そして、第２燃料補給管３４内のチェックバルブ３６よりも上流側の部分の圧力が所定圧以上になると、チェックバルブ３６が自動的に開き、電解液が第２燃料補給管３４を通して燃料サブタンク２３に供給される。
【００８３】
＜燃料電池の冷却＞
【００８４】
冷却水供給管１１１および冷却水排出管１１２内には、冷却水が封入されている。
【００８５】
燃料電池１１の発電時には、ウォータポンプ１１５が駆動される。ウォータポンプ１１５が駆動されると、冷却水が冷却水供給管１１１を燃料電池１１の冷却水入口１６に向けて流通する。冷却水供給管１１１を流通する冷却水は、冷却水入口１６を通して、燃料電池１１に供給される。
【００８６】
燃料電池１１に供給される冷却水は、冷却水流路を流通し、冷却水出口１７を通して、冷却水排出管１１２に流出する。冷却水が冷却水流路を流通することにより、燃料電池１１が冷却される。
【００８７】
冷却水排出管１１２に流出した冷却水は、冷却水排出管１１２をラジエータ１１３に向けて流通する。三方流量弁１１４に設けられた分岐管１１６の接続ポートが閉じられているときには、冷却水排出管１１２を流通する冷却水は、ラジエータ１１３を通過して、冷却水供給管１１１に戻る。ラジエータ１１３を通過する冷却水は、走行風および／またはラジエータファン１１３Ｆからの送風によって冷却される。一方、分岐管１１６の接続ポートが閉じられているときには、冷却水排出管１１２を流通する冷却水は、ラジエータ１１３をバイパスして、冷却水供給管１１１に戻る。
【００８８】
［燃料濃度制御］
【００８９】
図２は、燃料濃度制御の内容を示すフローチャートである。
【００９０】
燃料電池１１の発電時には、燃料循環路を循環する液体中の液体燃料の濃度を適正範囲に保つために、ＦＣ−ＥＣＵ３０１により、図２に示される燃料濃度制御が繰り返し実行される。
【００９１】
燃料濃度制御では、まず、燃料供給管５４から燃料電池１１の燃料入口１２に供給される液体の温度であるＦＣ入口燃料温度Ｔｉｎおよび燃料電池１１の燃料出口１３から燃料排出管６１に排出される液体の温度であるＦＣ出口燃料温度Ｔｏｕｔが検出される（ステップＳ１）。ＦＣ入口燃料温度ＴｉｎおよびＦＣ出口燃料温度Ｔｏｕｔは、それぞれＦＣ入口燃料温度センサ１９２およびＦＣ出口燃料温度センサ２０２によって検出される。
【００９２】
次に、ＦＣ出口燃料温度ＴｏｕｔからＦＣ入口燃料温度Ｔｉｎが減算されることにより、温度差ΔＴ＝Ｔｏｕｔ−Ｔｉｎが算出される（ステップＳ２）。
【００９３】
そして、その温度差ΔＴが所定の適正範囲の上限値ＴＨよりも大きいか否かが判断される（ステップＳ３）。
【００９４】
温度差ΔＴが上限値ＴＨ以下である場合には（ステップＳ３のＮＯ）、つづいて、温度差ΔＴが所定の適正範囲の下限値ＴＬよりも小さいか否かが判断される（ステップＳ４）。
【００９５】
この判断が否定される場合、つまり温度差ΔＴが上限値ＴＨ以下かつ下限値ＴＬ以上である場合には（ステップＳ４のＮＯ）、第１燃料タンク２１から燃料サブタンク２３に液体燃料が予め定める第１標準流量で供給され、第２燃料タンク２２から燃料サブタンク２３に電解液が予め定める第２標準流量で供給されるように、第１燃料供給ポンプ３２および第２燃料供給ポンプ３５が駆動される。すなわち、通常の第１燃料供給ポンプ３２および第２燃料供給ポンプ３５の制御が行われる。そして、温度差ΔＴが上限値ＴＨ以下かつ下限値ＴＬ以上であると判断されてから一定時間が経過すると（ステップＳ７のＹＥＳ）、この燃料濃度制御がリターンされる。
【００９６】
一方、温度差ΔＴが上限値ＴＨよりも大きい場合には（ステップＳ３のＹＥＳ）、第１燃料タンク２１から燃料サブタンク２３に液体燃料が第１標準流量よりも一定量だけ小さい流量で供給され、第２燃料タンク２２から燃料サブタンク２３に電解液が第２標準流量で供給されるように、第１燃料供給ポンプ３２および第２燃料供給ポンプ３５が駆動される（ステップＳ５：燃料供給量減少）。
【００９７】
その後、一定時間が経過すると（ステップＳ７のＹＥＳ）、この燃料濃度制御がリターンされる。
【００９８】
また、温度差ΔＴが下限値ＴＬよりも小さい場合には、第１燃料タンク２１から燃料サブタンク２３に液体燃料が第１標準流量よりも一定量だけ大きい流量で供給され、第２燃料タンク２２から燃料サブタンク２３に電解液が第２標準流量で供給されるように、第１燃料供給ポンプ３２および第２燃料供給ポンプ３５が駆動される（ステップＳ５：燃料供給量増加）。
【００９９】
その後、一定時間が経過すると（ステップＳ７のＹＥＳ）、この燃料濃度制御がリターンされる。
【０１００】
［作用効果］
【０１０１】
以上のように、燃料循環路（燃料供給管５４）から燃料電池１１の燃料入口１２に液体燃料を含む液体が流入し、その液体中の液体燃料の一部が燃料電池１１での発電反応に使用される。そして、未反応の液体燃料を含む液体は、燃料電池１１の燃料出口１３から燃料循環路（燃料排出管６１）に流出する。
【０１０２】
燃料電池１１の発電時には、燃料電池１１が発熱する。燃料電池１１に供給される液体中の液体燃料の濃度が高いほど、その燃料電池１１の発電時における発熱量が大きい。
【０１０３】
燃料入口１２に流入する液体の温度であるＦＣ入口燃料温度Ｔｉｎおよび燃料出口１３から排出される液体の温度であるＦＣ出口燃料温度Ｔｏｕｔが検出され、燃料電池１１の発電時における発熱量に応じた値として、ＦＣ出口燃料温度ＴｏｕｔとＦＣ入口燃料温度Ｔｉｎとの温度差ΔＴ＝Ｔｏｕｔ−Ｔｉｎが算出される。そして、温度差ΔＴが所定の上限値ＴＨよりも大きいときには、燃料循環路を循環する液体中の液体燃料の濃度が適正範囲よりも高いと判断されて、第１燃料タンク２１から燃料循環路（燃料サブタンク２３）への液体燃料の補給が抑制される。一方、温度差ΔＴが所定の下限値ＴＬよりも小さいときには、燃料循環路を循環する液体中の液体燃料の濃度が適正範囲よりも低いと判断されて、第１燃料タンク２１から燃料循環路への液体燃料の補給が促進される。これにより、燃料循環路を循環する液体中の液体燃料の濃度を検出する濃度センサを用いずに、燃料循環路を循環する液体中の液体燃料の濃度を適正範囲に調整することができる。
【０１０４】
よって、燃料循環路を循環する液体中の液体燃料の濃度を検出する濃度センサを省略することができる。その結果、燃料電池システム１の小型化を図ることができる。また、燃料電池システム１のコストの低減を図ることができる。
【０１０５】
［他の燃料濃度制御］
【０１０６】
図３は、他の燃料濃度制御の内容を示すフローチャートである。
【０１０７】
図２に示される燃料濃度制御は、燃料電池１１による発電電流が一定であり、冷却水循環路を循環する冷却水による燃料電池１１の冷却量（冷却能力）が一定である場合に好適である。燃料電池１１による発電電流および冷却水循環路を循環する冷却水による燃料電池１１の冷却量が変動する場合には、図２に示される燃料濃度制御に代えて、図３に示される燃料濃度制御が採用されることが好ましい。
【０１０８】
図３に示される燃料濃度制御では、まず、燃料電池１１の発電時における理論上の発熱量である理論発熱量ＷＴおよび冷却水循環路を循環する冷却水による燃料電池１１の冷却量ＷＲが算出される（ステップＳ１１）。
【０１０９】
燃料電池１１による理論上の発電電圧ＶＴは、燃料電池１１のスペックから既知である。燃料電池１１による実際の発電電圧Ｖおよび発電電流Ｉは、電圧センサおよび電流センサ（図示せず）によって検出することができる。理論上の発電電圧ＶＴから実際の発電電圧Ｖを減算し、その減算値に出力電流Ｉを乗じることにより、理論発熱量ＷＴが算出される。すなわち、次式（３）に従って、理論発熱量ＷＴが算出される。
【０１１０】
ＷＴ＝（ＶＴ−Ｖ）×Ｉ    ・・・（３）
【０１１１】
また、燃料電池１１の冷却水入口１６に供給される冷却水の温度、つまりＦＣ入口水温センサ２４１によって検出される温度をＴｗｉｎとし、冷却水出口１７から排出される冷却水の温度をＴｗｏｕｔとし、冷却水循環路を循環する冷却水の流量をＦｗ（ｌ／ｍｉｎ）とし、冷却水循環路を循環する冷却水の比熱をＣとして、次式（４）に従って、冷却量ＷＲが算出される。
【０１１２】
ＷＲ＝Ｃ×（Ｔｗｏｕｔ−Ｔｗｉｎ）×Ｆｗ／６０    ・・・（４）
【０１１３】
次に、燃料供給管５４から燃料電池１１の燃料入口１２に供給される液体の温度であるＦＣ入口燃料温度Ｔｉｎおよび燃料電池１１の燃料出口１３から燃料排出管６１に排出される液体の温度であるＦＣ出口燃料温度Ｔｏｕｔが検出される（ステップＳ１２）。ＦＣ入口燃料温度ＴｉｎおよびＦＣ出口燃料温度Ｔｏｕｔは、それぞれＦＣ入口燃料温度センサ１９２およびＦＣ出口燃料温度センサ２０２によって検出される。
【０１１４】
つづいて、ＦＣ出口燃料温度ＴｏｕｔからＦＣ入口燃料温度Ｔｉｎが減算されることにより、温度差ΔＴ＝Ｔｏｕｔ−Ｔｉｎが算出される（ステップＳ１３）。
【０１１５】
その後、理論発熱量ＷＴ、冷却量ＷＲおよび温度差ΔＴに基づいて、燃料循環路を循環する液体中の液体燃料の濃度による発熱量ΔＷが算出される（ステップＳ１４）。
【０１１６】
そして、その発熱量ΔＷが所定の上限値ＷＨよりも大きいか否かが判断される（ステップＳ１５）。
【０１１７】
発熱量ΔＷが上限値ＷＨ以下である場合には（ステップＳ１５のＮＯ）、つづいて、発熱量ΔＷが所定の下限値ＷＬよりも小さいか否かが判断される（ステップＳ１６）。
【０１１８】
この判断が否定される場合、つまり発熱量ΔＷが上限値ＷＨ以下かつ下限値ＷＬ以上である場合には（ステップＳ１６のＮＯ）、第１燃料タンク２１から燃料サブタンク２３に液体燃料が予め定める第１標準流量で供給され、第２燃料タンク２２から燃料サブタンク２３に電解液が予め定める第２標準流量で供給されるように、第１燃料供給ポンプ３２および第２燃料供給ポンプ３５が駆動される。すなわち、通常の第１燃料供給ポンプ３２および第２燃料供給ポンプ３５の制御が行われる。そして、発熱量ΔＷが上限値ＷＨ以下かつ下限値ＷＬ以上であると判断されてから一定時間が経過すると（ステップＳ１９のＹＥＳ）、この燃料濃度制御がリターンされる。
【０１１９】
一方、発熱量ΔＷが上限値ＷＨよりも大きい場合には（ステップＳ１５のＹＥＳ）、第１燃料タンク２１から燃料サブタンク２３に液体燃料が第１標準流量よりも一定量だけ小さい流量で供給され、第２燃料タンク２２から燃料サブタンク２３に電解液が第２標準流量で供給されるように、第１燃料供給ポンプ３２および第２燃料供給ポンプ３５が駆動される（ステップＳ１７：燃料供給量減少）。
【０１２０】
その後、一定時間が経過すると（ステップＳ１９のＹＥＳ）、この燃料濃度制御がリターンされる。
【０１２１】
また、発熱量ΔＷが下限値ＷＬよりも小さい場合には、第１燃料タンク２１から燃料サブタンク２３に液体燃料が第１標準流量よりも一定量だけ大きい流量で供給され、第２燃料タンク２２から燃料サブタンク２３に電解液が第２標準流量で供給されるように、第１燃料供給ポンプ３２および第２燃料供給ポンプ３５が駆動される（ステップＳ１８：燃料供給量増加）。
【０１２２】
その後、一定時間が経過すると（ステップＳ１９のＹＥＳ）、この燃料濃度制御がリターンされる。
【０１２３】
この図３に示される燃料濃度制御によっても、燃料循環路を循環する液体中の液体燃料の濃度を検出する濃度センサを用いずに、燃料循環路を循環する液体中の液体燃料の濃度を適正範囲に調整することができる。
【０１２４】
よって、燃料循環路を循環する液体中の液体燃料の濃度を検出する濃度センサを省略することができる。その結果、燃料電池システムの小型化を図ることができる。また、燃料電池システム１のコストの低減を図ることができる。
【０１２５】
［変形例］
【０１２６】
以上、本発明の実施の形態について説明したが、前述の構成には、特許請求の範囲に記載された事項の範囲で種々の設計変更を施すことが可能である。
【符号の説明】
【０１２７】
１      燃料電池システム
１１    燃料電池
１２    燃料入口
１３    燃料出口
２１    第１燃料タンク（燃料タンク）
２３    燃料サブタンク（燃料循環路）
２４    気液分離器（燃料循環路）
５１    第１送出管（燃料循環路）
５２    第２送出管（燃料循環路）
５４    燃料供給管（燃料循環路）
６１    燃料排出管（燃料循環路）
７１    燃料帰還管（燃料循環路）
１９２  ＦＣ入口燃料温度センサ（入口温度検出手段）
２０２  ＦＣ出口燃料温度センサ（出口温度検出手段）
３０１  ＦＣ−ＥＣＵ（発熱量対応値算出手段、補給制御手段）
【図１】
2014049341.tif 000003
【図２】
2014049341.tif 000004
【図３】
2014049341.tif 000005